(57)【要約】【課題】耐圧性に優れてなおかつ小型・軽量であって、さらには製造コストの低減と設計の自由度を高めることとを両立できる圧縮機を提供すること。【解決手段】ハウジング１１において、第１ハウジング構成体１２の円筒部３１及びシリンダヘッド部３２、第２ハウジング構成体１３の円筒部３３及び底部３４が、アルミニウム製外郭５１，５２，５５，５６の外側に鉄製外郭５３，５４，５７，５８が密着配置された二層構造を有している。【選択図】      図１
2004218585.tif 000002
【特許請求の範囲】
【請求項１】
ハウジングの少なくとも一部が、アルミニウム系の材料よりなるアルミニウム製外郭と鉄系の材料よりなる鉄製外郭とを備えた多層構造を有していることを特徴とする圧縮機。
【請求項２】
前記ハウジングの少なくとも一部は、アルミニウム製外郭と、該アルミニウム製外郭の内側又は外側に密着配置された鉄製外郭とからなる二層構造を有している請求項１に記載の圧縮機。
【請求項３】
前記圧縮機を取付対象へ取り付けるための取付足は、ハウジングのアルミニウム製外郭に一体形成されている請求項１又は２に記載の圧縮機。
【請求項４】
前記鉄製外郭はアルミニウム製外郭の外側に配置されており、該鉄製外郭にはアルミニウム製外郭の取付足を外方へ取り出すための取出孔又は切欠が形成されている請求項３に記載の圧縮機。
【請求項５】
前記ハウジングは、シリンダブロックを取り囲む筒状部を備えており、該ハウジングにおいて少なくとも筒状部が、鉄製外郭とアルミニウム製外郭とを備えた多層構造を有している請求項１〜４のいずれかに記載の圧縮機。
【請求項６】
前記ハウジングは、吸入室と吐出室とを形成したシリンダヘッドを備えており、該ハウジングにおいて少なくともシリンダヘッドが、鉄製外郭とアルミニウム製外郭とを備えた多層構造を有している請求項１〜５のいずれかに記載の圧縮機。
【請求項７】
ハウジングの少なくとも一部が、アルミニウム系の材料よりなるアルミニウム製外郭と鉄系の材料よりなる鉄製外郭とを備えた多層構造を有した圧縮機において、
前記アルミニウム製外郭は鋳造により製作されるとともに、該アルミニウム製外郭の鋳造の際には、予め製作しておいた鉄製外郭を一緒に鋳込むことを特徴とするハウジングの製造方法。
【請求項８】
前記鉄製外郭はプレス加工によって製作されている請求項７に記載のハウジングの製造方法。
【発明の詳細な説明】
【０００１】
【発明の属する技術分野】
本発明は、例えば車両空調装置の冷凍サイクルに用いられる圧縮機、及び該圧縮機に用いられるハウジングの製造方法に関する。
【０００２】
【従来の技術】
最近、環境に対する影響を配慮して、冷凍サイクルの冷媒に二酸化炭素を用いることが提案されている。この種の冷凍サイクルは超臨界冷凍サイクルと呼ばれている。しかし、超臨界冷凍サイクルでは、圧縮機内の特に吐出圧雰囲気が、フロン冷媒の冷凍サイクルと比較して高圧となる。従って、フロン冷媒の冷凍サイクル用の圧縮機ではそれほど配慮する必要のなかったハウジングの耐圧性についても、超臨界冷凍サイクル用の圧縮機では十分な配慮が必要となる。
【０００３】
通常、冷凍サイクル用の圧縮機は、アルミニウム製又は鉄製のハウジングを備えている。しかし、超臨界冷凍サイクルに用いるために、アルミニウム製のハウジングの耐圧性を確保しようとすると厚肉となり、圧縮機の寸法が増大する問題を生じてしまう。また、鉄製のハウジングでは圧縮機の重量増の問題を生じてしまう。
【０００４】
このような問題を解決するために、ハウジングにおいて、耐圧性を要求される部分は鉄製として強度を高めるとともに、耐圧性をそれほど要求されない部分についてはアルミニウム製として軽量化を図ることが提案されている。すなわち、例えば特許文献１では、圧縮機のハウジングが備えるシリンダヘッドにおいて、低圧室たる吸入室と外気とを隔てる隔壁をアルミニウム系の材料により製作するとともに、吸入室と高圧室たる吐出室とを隔てる隔壁、及び吐出室と外気とを隔てる隔壁を、鉄系の材料により製作することが提案されている。
【０００５】
【特許文献１】
特開２００１−１２３９５７号公報
【０００６】
【発明が解決しようとする課題】
ところが、圧縮機のハウジングを、耐圧性の要求度合いに基づいて鉄製の部分とアルミニウム製の部分とに作り分けることは、圧縮機の製造コスト低減と設計の自由度を高めることとを両立し得ない問題を生じる。
【０００７】
つまり、ハウジングの製造コストは、当然ながら形状が複雑となるほど上昇する。また、例えばハウジングを鋳造する場合、アルミニウム鋳造よりも鉄鋳造の方が寸法精度が低くなるために後加工が面倒となり、製造コストが上昇する。
【０００８】
ここで、例えば、車両空調装置に用いられる圧縮機は、該圧縮機を車両に対して取り付けるための取付足がハウジングに設けられている。ハウジングの鉄製部分に対して取付足を一体形成すると該鉄製部分の形状が複雑となり、しかも、前述した鉄鋳造における寸法精度の問題から製造コストが上昇してしまう。従って、ハウジングを鉄製の部分とアルミニウム製の部分とに作り分けた場合には、圧縮機の製造コストを低減するために、取付足をアルミニウム製部分に一体形成する必要がある。よって、ハウジングにおける取付足の配置位置が限定される問題、つまり圧縮機の設計の自由度が阻害される問題を生じ、該圧縮機を適用可能な車両の種類が限定されてしまう。
【０００９】
本発明の目的は、耐圧性に優れてなおかつ小型・軽量であって、さらには製造コストの低減と設計の自由度を高めることとを両立できる圧縮機、及び該圧縮機のハウジングの製造方法を提供することにある。
【００１０】
【課題を解決するための手段】
上記目的を達成するために請求項１の発明の圧縮機は、ハウジングの少なくとも一部が、アルミニウム系の材料よりなるアルミニウム製外郭と鉄系の材料よりなる鉄製外郭とを備えた多層構造を有している。従って、該多層構造の部分においては、一部が鉄製外郭であることによって耐圧性を高めることができるとともに小型化を図ることができるし、一部がアルミニウム製外郭であることによって軽量化を図ることもできる。
【００１１】
また、前記鉄製外郭の配置によっても、アルミニウム製外郭の配置位置が特許文献１のように限定されることがない。言い換えれば、ハウジングにおいて耐圧性を確保したい部分にも、アルミニウム製外郭を配置することができる。従って、例えば、アルミニウム製外郭に一体形成したい圧縮機の特定部位（例えば取付足）のハウジングにおける配置位置の自由度が向上する。よって、前記特定部位を、鉄製よりも加工が容易なアルミニウム製外郭に形成することでの製造コストの低減と、設計の自由度を高めることとを両立することができる。
【００１２】
請求項２の発明は請求項１において、前記ハウジングの多層構造を限定するものである。すなわち、前記ハウジングの少なくとも一部は、アルミニウム製外郭と、該アルミニウム製外郭の内側又は外側に密着配置された鉄製外郭とからなる二層構造を有している。
【００１３】
請求項３の発明は請求項１又は２において、アルミニウム製外郭に一体形成することで製造コストを低減したい、圧縮機の特定部位を限定するものである。すなわち、前記圧縮機を取付対象へ取り付けるための取付足は、ハウジングのアルミニウム製外郭に一体形成されている。
【００１４】
請求項４の発明は請求項３において、前記鉄製外郭は、アルミニウム製外郭の外側に配置されている。鉄製外郭には、アルミニウム製外郭の取付足を外方へ取り出すための取出孔又は切欠が形成されている。つまり、鉄製外郭の内側にアルミニウム製外郭を配置したとしても、該鉄製外郭に取出孔又は切欠を形成するのみの簡単な構成によって、アルミニウム製外郭に取付足を形成する構成を採用することができる。
【００１５】
なお、ハウジングにおいて、鉄製外郭に取出孔又は切欠が形成された部分は、該鉄製外郭による補強効果が薄らいでしまう。しかし、該部分は、取付足によってアルミニウム製外郭が厚肉となっており、鉄製外郭の補強を期待しなくとも十分な強度を確保することができる。
【００１６】
請求項５の発明は請求項１〜４のいずれかにおいて、前記ハウジングは、シリンダブロックを取り囲む筒状部を備えている。ハウジングにおいて少なくとも筒状部が、鉄製外郭とアルミニウム製外郭とを備えた多層構造を有している。従って、ハウジングにおいて少なくとも筒状部を、耐圧性に優れてなおかつ小型・軽量にでき、さらには製造コストの低減と設計の自由度を高めることとを両立することができる。
【００１７】
請求項６の発明は請求項１〜５のいずれかにおいて、前記ハウジングは、吸入室と吐出室とを形成したシリンダヘッドを備えている。ハウジングにおいて少なくともシリンダヘッドが、鉄製外郭とアルミニウム製外郭とを備えた多層構造を有している。従って、ハウジングにおいて少なくともシリンダヘッドを、耐圧性に優れてなおかつ小型・軽量にでき、さらには製造コストの低減と設計の自由度を高めることとを両立することができる。
【００１８】
請求項７の発明のハウジングの製造方法においては、アルミニウム製外郭を鋳造により製作する。そして、アルミニウム製外郭の鋳造の際には、予め製作しておいた鉄製外郭を一緒に鋳込むことで、鉄製外郭とアルミニウム製外郭とからなる多層構造のハウジングを得ることができる。
【００１９】
このように、アルミニウム製外郭の鋳造の際に鉄製外郭を一緒に鋳込む手法を採用することで、例えば、両外郭を別個に製作した後、ボルト止め等によって接合する場合と比較して工程を省くことができ、ハウジングを安価に製造することができる。また、鉄製外郭が鋳型の一部をなすこととなるため、アルミニウム製外郭の鋳型を安価に製作することができるし、アルミニウム製外郭における鉄製外郭との接合部分の後加工も必要がない。これらも圧縮機の製造コストの低減につながる。
【００２０】
請求項８の発明は請求項７において、前記鉄製外郭はプレス加工によって製作されている。プレス加工は、鋳造と比較して後加工がほとんど不要で、特に後加工がアルミニウム製と比較して面倒な鉄製外郭を安価に製作することができる。
【００２１】
【発明の実施の形態】
以下、本発明の圧縮機を、冷媒に二酸化炭素を用いた車両用空調装置の超臨界冷凍サイクルを構成する冷媒圧縮機において具体化した、第１及び第２実施形態について説明する。なお、第２実施形態においては第１実施形態との相違点についてのみ説明し、第１実施形態と同一又は相当部材には同じ番号を付して説明を省略する。
【００２２】
○第１実施形態
先ず、冷媒圧縮機としての容量可変型圧縮機（以下圧縮機とする）の全体構成について説明する。
【００２３】
図１に示すように、圧縮機１０の外郭をなすハウジング１１は、第１ハウジング構成体１２と第２ハウジング構成体１３とからなっている。第１ハウジング構成体１２は、筒状部としての円筒部３１と、該円筒部３１の図面左方側の開口を閉塞するようにして配置された、シリンダヘッドとしてのシリンダヘッド部３２とからなっている。第２ハウジング構成体１３は、円筒部３３と、該円筒部３３の図面右方側の開口を閉塞するようにして配置された底部３４とからなっている。第１ハウジング構成体１２と第２ハウジング構成体１３とは、円筒部３１，３３の対向端面（開口端面）を以て互いに接合されるとともに、図示しないスルーボルトによって締結固定されている。
【００２４】
前記ハウジング１１内には、円柱状をなすシリンダブロック１４が収容されている。シリンダブロック１４は、第１ハウジング構成体１２において円筒部３１の内側に挿入配置されている。つまり、円筒部３１は、シリンダブロック１４を取り囲むようにして配置されている。円筒部３１の内周面３１ａにおいてシリンダヘッド部３２側には、シリンダブロック１４の円筒部３１内への挿入距離を規定する段差３１ｂが形成されている。段差３１ｂとシリンダブロック１４との間には、弁・ポート形成体１５が配置されている。シリンダブロック１４と弁・ポート形成体１５は、それらを挿通するスルーボルト１６によって、第１ハウジング構成体１２のシリンダヘッド部３２に締結固定されている。
【００２５】
前記第２ハウジング構成体１３において円筒部３３の内側には、シリンダブロック１４とで囲まれてクランク室１７が形成されている。駆動軸１８は、弁・ポート形成体１５に形成された透孔を遊貫するとともに、第１端部（図面左方側の端部）の先端側が、第１ハウジング構成体１２のシリンダヘッド部３２に突設されたボス３２ａを介して外方へ突出し、車両の走行駆動源であるエンジンＥに対して図示しない動力伝達機構を介して作動連結されている。駆動軸１８は、第２端部（図面右方側の端部）がクランク室１７内に配置された状態でハウジング１１に回転可能に支承されている。従って、駆動軸１８は、エンジンＥから動力の供給を受けて回転駆動される。
【００２６】
前記第１ハウジング構成体１２においてシリンダヘッド部３２の内壁面３２ｂには、弁・ポート形成体１５と対向する位置に、駆動軸１８の第１端部を取り囲むようにほぼ環状の隔壁３２ｃが突設されている。隔壁３２ｃの先端面は弁・ポート形成体１５の端面に当接されている。従って、ハウジング１１内において第１ハウジング構成体１２と弁・ポート形成体１５とで囲まれた領域内には、隔壁３２ｃの内側に吸入室１９が形成されるとともに、隔壁３２ｃの外側には、吸入室１９を取り囲むようにほぼ環状の吐出室２０が区画形成されている。
【００２７】
前記吸入室１９内において第１ハウジング構成体１２のシリンダヘッド部３２には、弁・ポート形成体１５と対向する側に収容凹部３２ｄが形成されている。収容凹部３２ｄには、駆動軸１８の第１端部を封止する軸封装置２１が配設されている。軸封装置２１としては、メカニカルシールやリップシール等が挙げられる。
【００２８】
前記シリンダブロック１４には、クランク室１７と吸入室１９とを連通するように軸孔１４ａが形成されている。第２ハウジング構成体１３の底部３４には、クランク室１７側に収容凹部３４ａが形成されている。駆動軸１８は軸孔１４ａ、吸入室１９、収容凹部３２ｄ及びボス３２ａを貫通した状態で、中間部が軸孔１４ａ内に配設された第１ラジアルベアリング２２を介して、シリンダブロック１４に回転可能に支持されている。駆動軸１８の第２端部は、底部３４の収容凹部３４ａ内に配設された第２ラジアルベアリング２３を介して第２ハウジング構成体１３に回転可能に支持されている。
【００２９】
前記クランク室１７において駆動軸１８上には、ラグプレート２４が一体回転可能に固定されている。クランク室１７内にはカムプレートとしての斜板２５が収容されている。斜板２５は、駆動軸１８にスライド移動可能でかつ傾動可能に支持されている。ヒンジ機構２６は、ラグプレート２４と斜板２５との間に介在されている。従って、斜板２５は、ヒンジ機構２６を介することで、ラグプレート２４及び駆動軸１８と同期回転可能であるとともに、駆動軸１８に対して傾動可能となっている。
【００３０】
複数（図面には一つのみ示す）のシリンダボア１４ｂは、駆動軸１８を等角度間隔にて取り囲むようにしてシリンダブロック１４に形成されている。片頭型のピストン２７は、各シリンダボア１４ｂに往復動可能に収容されている。各ピストン２７は、シュー２８を介して斜板２５の外周部に係留されている。従って、駆動軸１８の回転にともなう斜板２５の回転運動が、シュー２８を介してピストン２７の往復運動に変換される。
【００３１】
前記シリンダボア１４ｂの前後開口は、弁・ポート形成体１５及びピストン２７によって閉塞されており、シリンダボア１４ｂ内にはピストン２７の往復動に応じて体積変化する圧縮室２９が区画されている。そして、吸入室１９の冷媒ガスは、各ピストン２７の上死点位置から下死点側への移動により、弁・ポート形成体１５に形成された吸入ポート１５ａ及び吸入弁１５ｂを介して圧縮室２９に吸入される。圧縮室２９に吸入された冷媒ガスは、ピストン２７の下死点位置から上死点側への移動により所定の圧力にまで圧縮され、弁・ポート形成体１５に形成された吐出ポート１５ｃ及び吐出弁１５ｄを介して吐出室２０に吐出される。
【００３２】
前記ハウジング１１の外側には、第１ハウジング構成体１２の円筒部３１に設けられたマフラ構成部３１ｃと、第２ハウジング構成体１３の円筒部３３に設けられたマフラ構成部３３ａとの接合によって、中空状の吐出マフラ３８が構成されている。吐出室２０の冷媒ガスは、吐出マフラ３８の内空間を介することで脈動が低減された後、図示しない外部冷媒回路へと排出される。
【００３３】
前記ハウジング１１内には抽気通路４１及び給気通路４２が設けられている。抽気通路４１はクランク室１７と吸入室１９とを連通する。給気通路４２は吐出室２０とクランク室１７とを連通する。給気通路４２の途中には、電磁弁よりなる周知の構成の制御弁４３が配設されている。制御弁４３は、第１ハウジング構成体１２のマフラ構成部３１ｃから第２ハウジング構成体１３のマフラ構成部３３ａ側に向かって延出された取付座３１ｄに取り付けられている。
【００３４】
そして、前記制御弁４３の開度を調節することで、給気通路４２を介したクランク室１７への高圧な吐出ガスの導入量と抽気通路４１を介したクランク室１７からのガス導出量とのバランスが制御され、クランク室１７の内圧が決定される。クランク室１７の内圧変更に応じて、ピストン２７を介してのクランク室１７の内圧と圧縮室２９の内圧との差が変更され、斜板２５の傾斜角度が変更される結果、ピストン２７のストロークすなわち圧縮機１０の吐出容量が調節される。
【００３５】
次に、前記圧縮機１０のハウジング１１について詳述する。
前記ハウジング１１は、第１ハウジング構成体１２の円筒部３１のほぼ全部とシリンダヘッド部３２の一部とが、アルミニウム系の材料（純アルミニウムも含む）よりなるアルミニウム製外郭５１，５２と、鉄系の材料（純鉄も含む）よりなる鉄製外郭５３，５４とを備えた二層構造を有している。また、ハウジング１１は、第２ハウジング構成体１３の円筒部３３のほぼ全部と底部３４の一部とが、アルミニウム系の材料（純アルミニウムも含む）よりなるアルミニウム製外郭５５，５６と、鉄系の材料（純鉄も含む）よりなる鉄製外郭５７，５８とを備えた二層構造を有している。
【００３６】
すなわち、前記第１ハウジング構成体１２の円筒部３１は、円筒状をなすアルミニウム製外郭５１の外側に、同じく円筒状をなす鉄製外郭５３が密着配置されてなる。第１ハウジング構成体１２のシリンダヘッド部３２は、アルミニウム製外郭５２の外側において該外郭５２に一体形成されたボス３２ａを避ける領域に、ドーナッツ板状の鉄製外郭５４が密着配置されてなる。つまり、シリンダヘッド部３２の鉄製外郭５４が中央部に有する透孔５４ａは、該外郭５４の内側に配置されたアルミニウム製外郭５２のボス３２ａを外方へ取り出すための取出孔として機能する。なお、シリンダヘッド部３２の隔壁３２ｃは、アルミニウム製外郭５２に一体形成されている。
【００３７】
前記円筒部３１のアルミニウム製外郭５１と、シリンダヘッド部３２のアルミニウム製外郭５２とは一体形成されている。円筒部３１の鉄製外郭５３と、シリンダヘッド部３２の鉄製外郭５４とは一体形成されている。鉄製外郭５３，５４はプレス加工により製作されている。アルミニウム製外郭５１，５２は鋳造（例えばダイカスト）により製作されている。このアルミニウム製外郭５１，５２の鋳造の際には、予め製作しておいた鉄製外郭５３，５４が一緒に鋳込まれて、第１ハウジング構成体１２が製作される。
【００３８】
前記第２ハウジング構成体１３の円筒部３３は、円筒状をなすアルミニウム製外郭５５の外側に、同じく円筒状をなす鉄製外郭５７が密着配置されてなる。第２ハウジング構成体１３の底部３４は、アルミニウム製外郭５６の外側において該外郭５６の中央部を避ける領域に、ドーナッツ板状の鉄製外郭５８が密着配置されてなる。
【００３９】
前記円筒部３３のアルミニウム製外郭５５と、底部３４のアルミニウム製外郭５６とは一体形成されている。円筒部３３の鉄製外郭５７と、底部３４の鉄製外郭５８とは一体形成されている。鉄製外郭５７，５８はプレス加工により製作されている。アルミニウム製外郭５５，５６は鋳造（例えばダイカスト）により製作されている。このアルミニウム製外郭５５，５６の鋳造の際には、予め製作しておいた鉄製外郭５７，５８が一緒に鋳込まれて、第２ハウジング構成体１３が製作される。
【００４０】
さて、前記圧縮機１０は車両用空調装置の冷凍サイクルを構成しており、従って当然ながら該圧縮機１０は車両に搭載されることとなる。圧縮機１０のハウジング１１には、該圧縮機１０を車両へ搭載するための取付足３５〜３７が複数（本実施形態においては３つ）備えられており、該取付足３５〜３７を以て取付対象としてのエンジンＥにボルト止めされている。各取付足３５〜３７には、ボルトが挿通される挿通孔３５ａ〜３７ａが形成されている。
【００４１】
前記複数の取付足３５〜３７のうちの二つ（取付足３５，３６）は、第１ハウジング構成体１２の円筒部３１においてアルミニウム製外郭５１に一体形成されている。この二つの取付足３５，３６は、駆動軸１８の軸線を中心としたほぼ１８０°対称位置に配置されている。前述したように、円筒部３１においてアルミニウム製外郭５１は、鉄製外郭５３の内側に配置されている。従って、鉄製外郭５３には、アルミニウム製外郭５１の取付足３５，３６を外方へ取り出すための取出孔５３ａがそれぞれ形成されている。
【００４２】
前記複数の取付足３５〜３７のうちの残りの一つ（取付足３７）は、第２ハウジング構成体１３の底部３４において、アルミニウム製外郭５６に一体形成されている。この取付足３７は、底部３４において鉄製外郭５８が配置されていない中央部に配置されている。つまり、底部３４の鉄製外郭５８が中央部に有する透孔５８ａは、該外郭５８の内側に配置されたアルミニウム製外郭５６の取付足３７を外方へ取り出すための取出孔として機能する。
【００４３】
前記第１ハウジング構成体１２のマフラ構成部３１ｃは、円筒部３１のアルミニウム製外郭５１に一体形成されている。円筒部３１において鉄製外郭５３の図面右方側の開口縁部には、アルミニウム製外郭５１のマフラ構成部３１ｃを外方へ取り出すための切欠５３ｂが形成されている。第２ハウジング構成体１３のマフラ構成部３３ａは、円筒部３３のアルミニウム製外郭５５に一体形成されている。円筒部３３において鉄製外郭５７の図面左方側の開口縁部には、アルミニウム製外郭５５のマフラ構成部３３ａを外方へ取り出すための切欠５７ａが形成されている。
【００４４】
上記構成の本実施形態においては次のような効果を奏する。
（１）ハウジング１１において、第１ハウジング構成体１２の円筒部３１及びシリンダヘッド部３２と、第２ハウジング構成体１３の円筒部３３及び底部３４とが、アルミニウム製外郭５１，５２，５５，５６と鉄製外郭５３，５４，５７，５８とを備えた二層構造を有している。従って、該二層構造の各部分においては、一部が鉄製外郭５３，５４，５７，５８であることによって耐圧性を高めることができるとともに小型化を図ることができるし、一部がアルミニウム製外郭５１，５２，５５，５６であることによって軽量化を図ることもできる。
【００４５】
また、前記鉄製外郭５３，５４，５７，５８の配置によっても、アルミニウム製外郭５１，５２，５５，５６の配置位置が特許文献１のように限定されることがない。言い換えれば、ハウジング１１において耐圧性を確保したい部分にも、アルミニウム製外郭５１，５２，５５，５６を配置することができる。従って、アルミニウム製外郭５１，５２，５５，５６に一体形成したい圧縮機の特定部位（取付足３５〜３７やマフラ構成部３１ｃ，３３ａやボス３２ａ）のハウジング１１における配置位置の自由度が向上する。よって、前記特定部位を、鉄製よりも加工が容易なアルミニウム製外郭５１，５２，５５，５６に形成することでの製造コストの低減と、設計の自由度を高めることとを両立することができる。
【００４６】
（２）ハウジング１１の二層構造は、鉄製外郭５３，５４，５７，５８の内側にアルミニウム製外郭５１，５２，５５，５６が配置されてなる。圧縮機１０をエンジンＥへ取り付けるための取付足３５〜３７、吐出マフラ３８を構成するマフラ構成部３１ｃ，３３ａ、及び駆動軸１８の第１端部を外方へ取り出すボス３２ａは、それぞれアルミニウム製外郭５１，５２，５５，５６に一体形成されている。鉄製外郭５３，５４，５７，５８には、アルミニウム製外郭５１，５２，５５，５６の取付足３５，３６及びマフラ構成部３１ｃ，３３ａ並びにボス３２ａを外方へ取り出すための取出孔５３ａ及び切欠５３ｂ，５７ａ並びに透孔５４ａ，５８ａが形成されている。
【００４７】
つまり、本実施形態のように、鉄製外郭５３，５４，５７，５８の内側にアルミニウム製外郭５１，５２，５５，５６を配置したとしても、該鉄製外郭５３，５４，５７，５８に取出孔５３ａ及び切欠５３ｂ，５７ａ並びに透孔５４ａ，５８ａを形成するのみの簡単な構成によって、アルミニウム製外郭５１，５２，５５，５６に取付足３５〜３７やマフラ構成部３１ｃ，３３ａやボス３２ａを形成する構成を採用することができる。
【００４８】
なお、前記ハウジング１１において、鉄製外郭５３，５４，５７，５８に取出孔５３ａ又は切欠５３ｂ，５７ａ或いは透孔５４ａ，５８ａが形成された部分は、アルミニウム製外郭５１，５２，５５，５６のみの単層構造となっている。しかし、該単層部分は、取付足３５，３６又はマフラ構成部３１ｃ，３３ａ或いはボス３２ａによってアルミニウム製外郭５１，５２，５５，５６が厚肉となっており、鉄製外郭５３，５４，５７，５８による補強を期待しなくとも十分な強度を確保することができる。
【００４９】
（３）ハウジング１１のアルミニウム製外郭５１，５２（５５，５６）は、鋳造により製作される。アルミニウム製外郭５１，５２（５５，５６）の鋳造の際には、予め製作しておいた鉄製外郭５３，５４（５７，５８）が一緒に鋳込まれる。
【００５０】
このように、アルミニウム製外郭５１，５２（５５，５６）の鋳造の際に鉄製外郭５３，５４（５７，５８）を一緒に鋳込む手法を採用することで、例えば、両外郭を別個に製作した後、ボルト止め等によって接合する場合と比較して工程を省くことができ、ハウジング構成体１２（１３）を安価に製造することができる。また、鉄製外郭５３，５４（５７，５８）が鋳型の一部をなすこととなるため、アルミニウム製外郭５１，５２（５５，５６）の鋳型を安価に製作することができるし、アルミニウム製外郭５１，５２（５５，５６）における鉄製外郭５３，５４（５７，５８）との接合部分の後加工も必要がない。これらも圧縮機１０の製造コストの低減につながる。
【００５１】
（４）鉄製外郭５３，５４，５７，５８はプレス加工によって製作されている。プレス加工は、鋳造と比較して後加工（仕上げ加工）がほとんど不要で、特に後加工がアルミニウム製と比較して面倒な鉄製外郭５３，５４，５７，５８を安価に製作することができる。
【００５２】
○第２実施形態
図２においては第２実施形態を示す。本実施形態において第１ハウジング構成体１２の円筒部３１は、アルミニウム製外郭５１の内側に、円筒状の鉄製外郭６１が密着配置されてなる。第１ハウジング構成体１２のシリンダヘッド部３２は、アルミニウム製外郭５２の内側に鉄製外郭６２が密着配置されてなる。シリンダヘッド部３２の鉄製外郭６２は、アルミニウム製外郭５２において内壁面５２ａの殆どの領域を覆う立体形状（本実施形態においてはドーム形状）をなしている。シリンダヘッド部３２の隔壁３２ｃは、鉄製外郭６２に一体形成されている。従って、シリンダヘッド部３２内には、鉄製外郭６２と弁・ポート形成体１５とによって、吸入室１９及び吐出室２０が区画形成されている。
【００５３】
前記円筒部３１の鉄製外郭６１とシリンダヘッド部３２の鉄製外郭６２とは別体であり、それぞれ別個にプレス加工によって製作されている。本実施形態においても上記第１実施形態と同様に、アルミニウム製外郭５１，５２の鋳造の際に、予め製作しておいた各鉄製外郭６１，６２が一緒に鋳込まれて、第１ハウジング構成体１２が製作される。
【００５４】
前記第２ハウジング構成体１３の円筒部３３は、アルミニウム製外郭５５の内側に、円筒状をなす鉄製外郭６３が密着配置されてなる。第２ハウジング構成体１３の底部３４には鉄製外郭が備えられていない。本実施形態においても上記第１実施形態と同様に、アルミニウム製外郭５５，５６の鋳造の際に、予めプレス加工によって製作しておいた鉄製外郭６３が一緒に鋳込まれて、第２ハウジング構成体１３が製作される。
【００５５】
上記構成の本実施形態においては、第１実施形態の（１）及び（３）並びに（４）と同様な効果を奏する他、次のような効果も奏する。
（１）ハウジング１１は、アルミニウム製外郭５１，５２，５５の内側に鉄製外郭６１〜６３を密着配置した二層構造を有している。従って、アルミニウム製外郭５１，５２，５５が備える、取付足３５，３６やマフラ構成部３１ｃ，３３ａを外方へ取り出すための取出孔５３ａ（図１参照）及び切欠５３ｂ，５７ａ（図１参照）を鉄製外郭６１〜６３に形成する必要がなく、該鉄製外郭６１〜６３の製作がさらに容易となる。
【００５６】
また、前記円筒部３１，３３においては、取付足３５，３６やマフラ構成部３１ｃ，３３ａの形成によっても、該形成位置におけるアルミニウム製外郭５１，５５と鉄製外郭６１，６３との二層構造を維持することができる。従って、取付足３５，３６やマフラ構成部３１ｃ，３３ａの形成位置におけるハウジング１１の耐圧性をさらに向上させることができる。よって、円筒部３１，３３を薄肉化することができ、ハウジング１１をさらに軽量化することができる。
【００５７】
（２）シリンダブロック１４が密着される円筒部３１の内周面３１ａは、シリンダブロック１４との密着性を高めるために寸法精度が要求される。しかし、該内周面３１ａは、安価なプレス加工によって製作された鉄製外郭６１により構成されており、例えば、該内周面３１ａを後加工が必要なアルミニウム鋳物（アルミニウム製外郭５１）により構成する場合と比較して、圧縮機１０の製造コストを低減することができる。
【００５８】
（３）第１ハウジング構成体１２のシリンダヘッド部３２においては、その内面を鉄製外郭６２が構成している。吸入室１９や吐出室２０の形成によって複雑となるシリンダヘッド部３２の内面を、安価なプレス加工によって製作された鉄製外郭６２により構成することは、例えば、後加工が必要なアルミニウム鋳物（アルミニウム製外郭５２）により構成する場合と比較して、圧縮機１０の製造コストを低減することができる。
【００５９】
なお、本発明の趣旨から逸脱しない範囲で例えば以下の態様でも実施できる。
○上記第１実施形態において取付足３５〜３７は、該鉄製外郭５３，５８に形成された取出孔５３ａ或いは透孔５８ａを介して外方へ取り出されていた。しかし、取付足３５〜３７が、例えば円筒部３１，３３におけるマフラ構成部３１ｃ，３３ａの位置と同様な位置であるなら、言い換えれば、円筒部３１，３３の開口縁部に形成される構成であるなら、マフラ構成部３１ｃ，３３ａと同様な切欠５３ｂ，５７ａによって、外方へ取り出す構成を採用してもよい。つまり、ハウジング１１における取付足３５〜３７の配置位置に応じて、取付孔又は切欠を適宜選択すればよい。
【００６０】
○上記各実施形態においてハウジング１１は、鉄製外郭５３，５４，５７，５８（６１〜６３（第２実施形態））とアルミニウム製外郭５１，５２，５５，５６とからなる二層構造を有していた。しかし、ハウジング１１は二層構造に限定されるものではなく、三層や四層等の二層以外の多層構造を備えていてもよい。例えば、上記第１実施形態と第２実施形態とを組み合わせることで、アルミニウム製外郭５１，５２，５５の外側に鉄製外郭５３，５４，５７を密着配置するとともに、アルミニウム製外郭５１，５２，５５の内側に鉄製外郭６１〜６３を密着配置した三層構造とする等である。
【００６１】
○上記各実施形態においては、アルミニウム製外郭５１，５２（５５，５６（第２ハウジング構成体１３））の鋳造の際に、予め製作しておいた鉄製外郭５３，５４（５７，５８（第２ハウジング構成体）、６１〜６３（第２実施形態））を一緒に鋳込んでいた。しかし、ハウジング１１の製造方法はこれに限定されるものではなく、例えば、アルミニウム製外郭と鉄製外郭をそれぞれ別個に製作した後、ボルト止め等によって両外郭を接合する手法を採用してもよい。
【００６２】
○上記各実施形態において鉄製外郭５３，５４，５７，５８（６１〜６３（第２実施形態））は、プレス加工によって製作されていた。これを変更し、鉄製外郭５３，５４，５７，５８（６１〜６３）を、鋳造や鍛造等のプレス加工以外の手法によって製作すること。
【００６３】
○本発明は、上記各実施形態のようにピストン式圧縮機に具体化することに限定されるものではなく、スクロール式圧縮機やベーン式圧縮機等の他の形式の圧縮機において具体化してもよい。
【００６４】
上記実施形態から把握できる技術的思想について記載する。
（１）前記鉄製外郭はアルミニウム製外郭の内側に配置されている請求項３に記載の圧縮機。
【００６５】
（２）前記ハウジングは、吸入室と吐出室とを形成したシリンダヘッドを備えており、該ハウジングにおいて少なくともシリンダヘッドが、アルミニウム製外郭の内側に鉄製外郭が配置された多層構造を有している請求項８に記載のハウジングの製造方法。
【００６６】
（３）圧縮機に用いられるハウジングであって、少なくとも一部が、アルミニウム系の材料よりなるアルミニウム製外郭と鉄系の材料よりなる鉄製外郭とを備えた多層構造を有していることを特徴とする圧縮機のハウジング。
【００６７】
（４）冷媒圧縮機として請求項１〜６のいずれか又は技術的思想（１）或いは（２）に記載の圧縮機を備えるとともに、冷媒として二酸化炭素を用いたことを特徴とする冷凍サイクル。
【００６８】
【発明の効果】
上記構成の本発明によれば、耐圧性に優れてなおかつ小型・軽量であって、さらには製造コストの低減と設計の自由度を高めることとを両立できる。
【図面の簡単な説明】
【図１】第１実施形態の圧縮機の縦断面図。
【図２】第２実施形態の圧縮機の縦断面図。
【符号の説明】
１０…圧縮機としての容量可変型圧縮機、１１…ハウジング、１２…ハウジングを構成する第１ハウジング構成体、１３…同じく第２ハウジング構成体、１９…吸入室、２０…吐出室、３１…第１ハウジング構成体を構成する筒状部としての円筒部、３２…シリンダヘッドとしてのシリンダヘッド部、３３…第２ハウジング構成体を構成する円筒部、３５〜３７…取付足、５１，５２…アルミニウム製外郭、５３，５４…鉄製外郭、５３ａ…取出孔、５５，５６…アルミニウム製外郭、５７，５８…鉄製外郭、５８ａ…取出孔としての透孔、６１〜６３…鉄製外郭（第２実施形態）、Ｅ…取付対象としてのエンジン。
【図１】
2004218585.tif 000003
【図２】
2004218585.tif 000004